(57)【要約】【課題】１回の原稿読み取りで得た画像データに対して複数の目的に応じた異なる処理を同時に行えるようにする画像形成装置を提供する。【解決手段】スキャナ部３０１からの（ｍ≧８）ビット画像データはｎ（ｎ≧３）値化階調処理３０５された後、プリンタ部３０９に送られると共に、ｍビット圧縮伸張処理３１０で圧縮されて画像蓄積部３１３に蓄積される。この蓄積データは外部機器Ｉ／Ｆ３１４から出力される。２枚目プリント時には、上記蓄積データが伸張され、ｎ値化階調処理３０５されてプリントされると共に、ｎ値圧縮伸張処理３１２されて蓄積される。この蓄積データは３枚目以降のプリントに使用される。また、上記ｍビット圧縮された蓄積データは、伸張後、２値化階調処理３０６で２値化され、２値圧縮伸張処理３１１で圧縮されて蓄積される。この蓄積２値データは外部機器Ｉ／Ｆ３１４から出力される。【選択図】　　　　図３
2004112358.tif 000002
【特許請求の範囲】
【請求項１】
画像入力部、画像処理部、画像出力部、圧縮伸張部、画像蓄積部及び外部機器Ｉ／Ｆを備えた画像形成装置において、
画像入力部から入力された画像データを圧縮伸張部で圧縮処理した後、画像蓄積部に蓄積し、この蓄積されている画像データに対して画像処理部及び圧縮伸張部により目的に応じて異なる画像処理及び圧縮伸張処理を行うことを特徴とする画像形成装置。
【請求項２】
前記画像入力部はｍ（ｍ≧８）ビットの画像データを入力し、
前記圧縮伸張部は、前記ｍビットの入力画像データを圧縮伸張処理するｍビット圧縮伸張手段と、ｎ値（ｎ≧３）の画像データを圧縮伸張処理するｎ値圧縮伸張手段とを有し、
前記画像処理部は、画像データにｎ値化階調処理を行うｎ値化階調手段を有し、
前記ｍビットの入力画像データを前記ｍビット圧縮伸張手段で圧縮処理した画像データを前記画像蓄積部に蓄積し、
この蓄積された圧縮画像データを前記ｍビット圧縮伸張手段で伸張処理した画像データに対して、前記ｎ値化階調手段でｎ値化階調処理し、処理された画像データを前記ｎ値化圧縮伸張処理手段で圧縮して前記画像蓄積部に蓄積することを特徴とする請求項１記載の画像形成装置。
【請求項３】
前記ｍビット圧縮伸張手段で圧縮処理されて前記画像蓄積部に蓄積された画像データは、前記外部機器Ｉ／Ｆを介して外部機器に転送される
ことを特徴とする請求項２記載の画像形成装置。
【請求項４】
前記ｎ値化階調手段でｎ値化階調処理された画像データは、前記画像出力部から出力されることを特徴とする請求項２又は３記載の画像形成装置。
【請求項５】
前記ｎ値化圧縮伸張処理手段で圧縮されて前記画像蓄積部に蓄積された画像データは、前記ｎ値化圧縮伸張処理手段で伸張処理された後、前記ｎ値化階調手段でｎ値化階調処理されて前記画像出力部から出力されることを特徴とする請求項２，３又は４記載の画像形成装置。
【請求項６】
前記圧縮伸張部は、２値の画像データを圧縮伸張処理する２値圧縮伸張手段を有し、
前記画像処理部は、画像データに２値化処理を行う２値化階調手段を有し、
前記ｍビット圧縮伸張手段で圧縮処理されて前記画像蓄積部に蓄積された圧縮画像データを前記ｍビット圧縮伸張手段で伸張処理した画像データに対して前記２値化階調手段で２値化階調処理し、処理された画像データを前記２値化圧縮伸張処理手段で圧縮して前記画像蓄積部に蓄積することを特徴とする請求項１から５の何れか１項に記載の画像形成装置。
【請求項７】
前記２値化圧縮伸張手段で圧縮処理されて前記画像蓄積部に蓄積された圧縮画像データは、前記外部機器Ｉ／Ｆを介して外部機器に転送される　ことを特徴とする請求項記載６の画像形成装置。
【発明の詳細な説明】
【０００１】
【発明の属する技術分野】
本発明は、ディジタル複写機、スキャナ装置、プリンタ装置、ファクシミリ装置、またはこれらの機能を兼ね備えたディジタル複合機等の画像形成装置に関する。
【０００２】
【従来の技術】
スキャナ装置で読み取ったディジタル画像データに対して画像処理、圧縮伸張処理を行う画像処理装置として、処理対象の画像データの持つ性質に応じて画像処理の内容を切り替えて処理を行い、処理後の画像品質を向上させるものがある（例えば、特許文献１）。
【０００３】
【特許文献１】
特開２００１−６９３４５号公報
【０００４】
【発明が解決しようとする課題】
上記従来の画像形成装置では、一度の読み取りに対しては、画像処理は選択された１種類になるため、複数の目的ごとに最適な複数の異なる画像処理を行った画像データを同時に得ることはできず、そのため、コピー動作を目的として画像処理を行った画像データを、コピー動作以外の目的に使用する場合は最適な品質の画像データにならないという不具合があった。
【０００５】
請求項１の発明に対応する課題
ディジタル複写機、スキャナ装置、プリンタ装置、ファクシミリ装置を兼ね備えた従来のディジタル複合機の画像処理部では、それぞれの動作に適した画像処理を切り替えて行うことが可能であるが、複数の目的に応じた画像処理を同時に行うことはできない。
そのため、コピー動作を目的として画像処理を行った画像データをコピー動作以外の目的に使用する場合は最適な品質の画像データにならないという不具合があった。
例えば、複数部のコピーを行うという目的でコピー出力に最適な画像処理が行われて蓄積された画像データは、外部機器のディスプレイ等で表示するという目的には適さない。
【０００６】
また、コピー出力に最適な画像処理が行われている画像データをそのままディスプレイ等で表示すると画像品質が劣化してしまう。高品質な表示データを得るためには、表示用に最適な画像処理を行うために再度、原稿を読み取らなければならないという不具合があった。
しかし、コピー動作でスキャンした画像データを外部機器に転送して、ディスプレイ等で確認するという機能は、読み取り文書の蓄積、検索などの機能を有するディジタル複合機では求められる機能である。
【０００７】
従って、請求項１の発明は、コピー出力に最適な画像データを得るための画像処理、ディスプレイ表示に最適な画像データを得るための画像処理など、複数の目的に応じた画像処理をその都度、原稿を読み取らずに行い、目的ごとに最適な品質の画像データを得ることが可能なディジタル複写機等の画像形成装置を提供することを目的とする。
【０００８】
請求項２〜５の発明に対応する課題
ネットワークなどで外部機器と接続し、コピー動作の時に読み取った画像データを外部機器に転送して蓄積し、読み取った画像を編集する機能があるディジタル複写機では、一度の原稿の読み取りでコピー出力するために適した画像データと外部機器において画像編集を行うために適した画像データを作成する必要がある。
【０００９】
従って、請求項２〜５の発明は、電子写真プロセス等でコピー出力するために適した画像データを作成する画像処理と外部機器において画像編集を行うために適した画像データを作成する画像処理を再度、原稿を読み取らずに行い、目的ごとに最適な品質の画像データを得ることが可能な画像形成装置を提供することを目的とする。
【００１０】
請求項６，７の発明に対応する課題
ネットワークなどで外部機器と接続し、コピー動作の時に読み取った画像データを外部機器に転送して蓄積し、ディスプレイ等に表示する機能があるディジタル複写機では、一度の原稿の読み取りでコピー出力するために適した画像データと外部機器のディスプレイ等に表示するために適した画像データを作成する必要がある。
【００１１】
従って、請求項６，７の発明は、電子写真プロセス等でコピー出力するために適した画像データを作成する画像処理と外部機器のディスプレイ等に表示するために適した画像データを作成する画像処理を再度、原稿を読み取らずに行い、目的ごとに最適な品質の画像データを得ることが可能なディジタル複写機を提供することを目的とする。
【００１２】
【課題を解決するための手段】
上記の目的を達成するために本発明による画像形成装置は、画像入力部、画像処理部、画像出力部、圧縮伸張部、画像蓄積部及び外部機器Ｉ／Ｆを備えた画像形成装置において、画像入力部から入力された画像データを圧縮伸張部で圧縮処理した後、画像蓄積部に蓄積し、この蓄積されている画像データに対して画像処理部及び圧縮伸張部により目的に応じて異なる画像処理及び圧縮伸張処理を行うことを特徴とする。
【００１３】
【発明の実施の形態】
以下、本発明の実施の形態を図面と共に説明する。
図１は本発明の実施の形態による画像形成装置としてのディジタル複写機の全体の構成を示すブロック図である。
図１において、画像入力部１０１は、ディジタルコピー、ディジタルファクシミリのスキャナに相当し、原稿を読み取り入力画像データとして画像処理部１０２に送る。画像処理部１０２は、入力された画像データに対してフィルタ処理、γ変換処理、階調処理などの各種画像処理を行い、処理結果を画像出力部１０３に送る。画像出力部１０３は、ディジタル複写機のプリンタに相当し、処理後のビットマップ画像データを紙にプリント出力する。
【００１４】
圧縮伸張部１０４は、読み取り画像データに対して圧縮処理を行い、出力画像データに対して伸張処理を行う。圧縮処理された画像はデータ容量が小さくなり画像蓄積部１０５へ送られる。画像蓄積部１０５は、ハードディスク装置等で構成され、複数の画像データを蓄積する機能を持つ。蓄積された画像データは再び読み出され、再プリントしたり、ネットワーク等を利用して外部機器へ転送することが可能である。外部機器Ｉ／Ｆ１０６は、ネットワーク等を使用して外部機器との間で画像データを転送する。
【００１５】
制御部１０７は、装置全体の制御を行う。画像入力部１０１に対しては、スキャナの動作制御を行い、画像処理部１０２に対しては、フィルタ処理、γ変換処理、階調処理などの各種画像処理の処理に用いるパラメータの設定を行い、画像出力部１０３に対しては、プリンタの動作制御を行い、圧縮伸張部１０４に対しては、圧縮動作、伸張動作の切り替えや圧縮方式の変更などを行い、画像蓄積部１０５に対しては、蓄積、読み出し、消去などの制御を行い、外部機器Ｉ／Ｆ１０６に対してはネットワーク経由のデータの制御を行い、操作部１０８に対しては各種情報の表示制御や動作モードの入力制御を行う。
操作部１０５は、使用者が設定する動作モードやコピースタートの指示の入力に用いられる。
【００１６】
図２は本発明の第１の実施の形態によるディジタル複写機の詳細な構成を示すブロック図である。
本装置は、原稿画像を読み取るスキャナ部２０１、セレクタ２０２、ＭＴＦフィルタ処理２０３、γ変換処理２０４、階調処理Ａ２０５、階調処理Ｂ２０６、セレクタ２０７、２０８、画像をコピーとして出力するプリンタ部２０９、圧縮伸張処理Ａ２１０、圧縮伸張処理Ｂ２１１、圧縮伸張処理Ｃ２１２、画像蓄積部２１３、外部機器Ｉ／Ｆ２１４、装置全体の制御を実行するＣＰＵ２１６、制御プログラムが格納されているＲＯＭ２１７、制御プログラムが一時的に使用するＲＡＭ２１８、各装置間のデータのやりとりを行う内部システムバス２１５、動作モード選択、スタート、ストップなどの指示を与えたり、設定の状態を表示する操作部２１９により構成されている。
【００１７】
図１と図２の対応はそれぞれ以下のようになっている。
画像入力部１０１にスキャナ部２０１が対応している。
画像処理部１０２にセレクタ２０２、ＭＴＦフィルタ処理２０３、γ変換処理２０４、階調処理Ａ２０５、階調処理Ｂ２０６、セレクタ２０７、２０８が対応している。画像出力装置１０３にプリンタ部２０９が対応している。圧縮伸張部１０４に圧縮伸張処理Ａ２１０、圧縮伸張処理Ｂ２１１、圧縮伸張処理Ｃ２１２が対応している。制御部１０７にＣＰＵ２１６、ＲＯＭ２１７、ＲＡＭ２１８が対応している。
【００１８】
図２は請求項１の発明に対応する第１の実施の形態であるが、請求項２〜５の発明に対応する第２の実施の形態、及び請求項６，７の発明に対応する第３の実施の形態を図３に示す。図３は図２に対してより具体的な実施態様を示したものであり、図３の３０１〜３１９で示す各処理は図３の２０１〜２１９に対応している。
【００１９】
次に、図３に基づいて各機能の詳細を説明する。
本発明の特徴は、複数の目的に応じた画像処理を再度、原稿を読み取らずに行い、目的ごとの複数の画像データを蓄積することができることである。
図３の実施の形態では、以下の３つの目的に応じてそれぞれ適した品質の画像データを得るために異なる画像処理を行う。
【００２０】
第１の目的は、コピー出力のための画像処理である。コピー出力に適した画像データとしては、電子写真プロセスなどの出力エンジンに適した画像データであること、リピートコピーや電子ソートのために画像を蓄積する必要があるので圧縮率が高いことなどの条件が必要である。
【００２１】
そこで、図３の実施の形態では、電子写真プロセスに適した画像データを得るためにｎ値化（ｎ≧３）階調処理（３０５）を行い、高い圧縮率を実現するためにｎ値圧縮伸張処理（３１２）を行う。より高い圧縮率を得る場合には、ｎ値圧縮伸張処理（３１２）は非可逆の圧縮を行う。
【００２２】
第２の目的は、ネットワーク等で外部機器と接続し、コピー動作の時に読み取った画像データを外部機器に転送して蓄積し、読み取った画像を編集するための画像処理である。外部機器において画像編集を行うために適した画像データとしては、できるだけ劣化の少ない高精細な画像データであるということなどの条件が必要である。
【００２３】
このため、図３の実施の形態では、画像処理は必要最低限しか行わず、スキャナで読み取った画像データに対して、画質劣化のないｍビット（ｍ≧８）圧縮伸張処理（３１０）を行う。より高精細な画像データを得るためには、ｍビット圧縮伸張処理（３１０）は可逆の圧縮を行う。
【００２４】
第３の目的は、ネットワーク等で外部機器と接続し、コピー動作の時に読み取った画像データを外部機器に転送して蓄積し、ディスプレイ等で表示するための画像処理である。外部機器のディスプレイ等で表示するのに適した画像データとしては、高精細な画像データは必要としないため、画像サイズや階調数を減らして、画像データ量をできるだけ小さくして高速に外部機器に転送できることなどの条件が必要である。
【００２５】
このため、図３の実施の形態では、階調数を減らすために２値化階調処理（３０６）を行い、品質よりも画像データ量を小さくすることを重視するために２値圧縮伸張処理（３１１）を行う。より画像データ量を小さくする場合には、２値圧縮伸張処理（３１１）は非可逆の圧縮を行う。
【００２６】
次に、第２、第３の実施の形態の動作を説明する。
まず、請求項２〜５に対応する第２の実施の形態による各処理の動作と画像データの流れを説明する。第２の実施の形態は、第１の目的と第２の目的に対応する画像処理を行う。
【００２７】
初めに第１の目的であるコピー出力用画像処理の１枚目の動作を説明する。
スキャナ部３０１からの入力画像データは、セレクタ３０２を通りＭＴＦフィルタ処理３０３に送られる。ＭＴＦフィルタ処理３０３では強調処理が行われ、γ補正処理３０４では濃度を制御する処理が行われ、ｎ値化階処理３０５によりプリンタの記録特性に合うように階調処理され、セレクタ３０７を通り、プリンタ部３０９によりコピーとして出力される。
【００２８】
ＭＴＦフィルタ処理３０３は、一定サイズのマトリクス内の各画素データとあらかじめ定めてあるフィルタ係数を用いて積和計算を行い、画像中のエッジを強調する。ＭＴＦフィルタ処理３０３の説明は従来からの技術と同等のため省略する。
【００２９】
γ補正処理３０４は出力画像の濃度を決める変換処理である。濃度特性の設定は、あらかじめ用意してあるいくつかの濃度特性から選択された１種類がシステムバス２１５を通してγ変換処理３０４へ設定される。γ補正処理３０４は、従来の技術と同等なため詳細な説明は省略する。
【００３０】
本実施の形態におけるｎ値化階調処理３０５は、ｍビット（ｍ≧８）の画像データを入力して階調処理を行い、ｎ値の画像データを出力する。階調処理アルゴリズムには誤差拡散処理やディザ処理などがあるが、アルゴリズムは従来の技術と同等なため詳細な説明は省略する。
【００３１】
電子写真プロセスで構成されるプリンタ部３０９は、一般的に１画素あたりの多値化数が少ないほうが、安定してドットが再現され画質が向上する。そのため第１の目的であるコピー出力に適した画像処理では、階調処理後にｎ値の画像データになるｎ値化階調処理３０５を行う。
【００３２】
次に、第２の目的である編集用の画像処理の動作を説明する。
スキャナ部３０１からのｍビットの入力画像データは、セレクタ３０８を通り圧縮伸張部に送られる。圧縮伸張部では、ｍビット圧縮伸張処理３１０で圧縮処理を行い、圧縮後の画像データは画像蓄積部３１３で蓄積される。画像蓄積部３１３に蓄積された画像データは、外部機器Ｉ／Ｆ３１４を通してネットワークなどで接続されている外部機器に転送され、画像編集に使用することができる。
【００３３】
本実施の形態における第２の目的では、劣化の少ない高精細な画像データが求められる。ＭＴＦフィルタ処理など画像処理を行うと処理によって歪が生じるため、読み取りｍビットの画像データのままで圧縮処理を行うｍビット圧縮伸張処理３１０に送る。
【００３４】
本実施例におけるｍビット圧縮伸張処理３１０は、劣化の少ない高精細な画像データを保ちながら圧縮伸張処理を行う。可逆の圧縮処理を行うと圧縮率は低くなるが、画像編集に適したより高精細な画像データを外部機器に転送することができる。
【００３５】
次に、第１の目的であるコピー出力用画像処理の２枚目の動作を説明する。
２枚目の動作はリピートコピーなどの複数部コピー出力時の動作である。
画像蓄積部３１３から圧縮されているｍビットの画像データを読み出して圧縮伸張部へ送る。圧縮伸張部では、ｍビット圧縮伸張部３１０で伸張処理を行い、伸張処理後のｍビットの画像データはセレクタ３０２を通りＭＴＦフィルタ処理３０３へ送られる。ＭＴＦフィルタ処理３０３では強調処理が行われ、γ補正処理３０４では濃度を制御する処理が行われ、ｎ値化階処理３０５によりプリンタの記録特性に合うように階調処理され、セレクタ３０７を通り、プリンタ部３０９によりコピーとして出力される。
【００３６】
また、ｎ値化階調処理３０５された画像データは、セレクタ３０８を通り圧縮伸張部に送られる。圧縮伸張部では、ｎ値圧縮伸張処理３１２で圧縮処理を行い、圧縮後の画像データは画像蓄積部３１３で蓄積される。
【００３７】
本実施の形態におけるｎ値圧縮伸張処理３１２は、電子写真プロセスで構成されるプリンタ部３０９において出力する場合に適したｎ値の画像データに対する圧縮伸張処理を行う。非可逆の圧縮処理を行うとより圧縮率が高くなり、同じ蓄積容量でより多くの画像を蓄積することが可能になる。また電子写真プロセス出力に適したｎ値の画像データに対して圧縮処理を行うため、他の目的のために処理された画像データに対して圧縮処理を行うよりも非可逆の圧縮処理を行った場合でも画質劣化の影響が少なくなる。
【００３８】
次に、第１の目的であるコピー出力用画像処理の３枚目以降の動作を説明する。３枚目以降の動作はリピートコピーなどの複数部コピー出力時の動作である。
画像蓄積部３１３から圧縮されているｎ値の画像データを読み出して圧縮伸張部へ送る。圧縮伸張部では、ｎ値圧縮伸張部３１２で伸張処理を行い、伸張処理後のｎ値の画像データはセレクタ３０７を通り、プリンタ部３０９によりコピーとして出力される。
【００３９】
次に、請求項６，７に対応する第３の実施の形態による各処理の動作と画像データの流れを説明する。第３の実施の形態は、第１の目的と第３の目的に対応する画像処理を行う。
第１の目的であるコピー出力用画像処理の動作は請求項２における動作と同じである。
【００４０】
第３の目的である表示用の画像処理の動作と画像データの流れを説明する。
スキャナ部３０１からのｍビットの入力画像データは、セレクタ３０８を通り圧縮伸張部に送られる。圧縮伸張部では、ｍビット圧縮伸張処理３１０で圧縮処理を行い、圧縮後の画像データは画像蓄積部３１３で蓄積される。ここまでの動作は第１の目的であるコピー出力用画像処理の１枚目の動作と同時に行われる。
【００４１】
次に画像蓄積部３１３から圧縮されているｍビットの画像データを読み出して圧縮伸張部へ送る。圧縮伸張部では、ｍビット圧縮伸張部３１０で伸張処理を行い、伸張処理後のｍビットの画像データはセレクタ３０２を通りＭＴＦフィルタ処理３０３へ送られる。ＭＴＦフィルタ処理３０３では強調処理が行われ、γ補正処理３０４では濃度を制御する処理が行われ、２値化階処理３０６に送られる。
【００４２】
２値化階処理３０６では２値の画像データになるように階調処理され、セレクタ３０８を通り圧縮伸張部へ送られる。圧縮伸張部では、２値圧縮伸張処理３１１により圧縮処理され画像蓄積部３１３に蓄積される。画像蓄積部３１３に蓄積された画像データは、外部機器Ｉ／Ｆ３１４を通してネットワークなどで接続されている外部機器に転送され、画像表示などに使用することができる。
【００４３】
本実施の形態における２値化階調処理３０６は、ｍビットの画像データを入力して階調処理を行い、２値の画像データを出力する。階調処理アルゴリズムには誤差拡散処理やディザ処理などがあるが、アルゴリズムは従来の技術と同等なため詳細な説明は省略する。
【００４４】
外部機器のディスプレイ等で画像を表示する目的が画像を確認するという場合は、高精細な画質を必要としない場合が多く、画像データ量が小さい方が好ましい。そのため第２の目的である外部機器のディスプレイ等での画像表示に適した画像処理では、階調処理後に２値の画像データになる２値化階調処理３０６を行う。
【００４５】
本実施の形態における２値圧縮伸張処理３１１は、画質の劣化よりも画像データ量が小さくなることを優先した２値画像データに対する圧縮伸張処理を行う。データ量が小さくなることによりネットワークなどで外部機器に転送する時間が短縮され、外部機器のディスプレイ等に高速に表示することができる。
【００４６】
以上の説明から本発明によれば、複数の目的１、２、３に応じた画像処理を再度、原稿を読み取らずに行い、処理後のデータを蓄積することが可能なディジタル複写機を実現できる。
【００４７】
【発明の効果】
請求項１の発明によれば、画像データを蓄積し、蓄積された画像データに対して目的に応じて異なる画像処理を複数回行うことができるので、原稿を何度も読み取らずに、一度の読み取りで複数の目的ごとに最適化された高品質の画像データを得ることが可能なディジタル複写機を提供できる。
【００４８】
請求項２〜５の発明によれば、電子写真プロセス等でコピー出力するために適したｎ値画像データを作成する画像処理と外部機器において画像編集に使用するために適したｍビット画像データを作成する画像処理を行うことができるので、原稿を何度も読み取らずに、一度の読み取りでコピー出力に適した画像データと画像編集に適した画像データの２種類の画像データを得ることが可能なディジタル複写機を提供できる。
【００４９】
請求項６，７の発明によれば、電子写真プロセス等でコピー出力するために適したｎ値画像データを作成する画像処理と外部機器のディスプレイ等に表示するために適した２値画像データを作成する画像処理を行うことができるので、原稿を何度も読み取らずに、一度の読み取りでコピー出力に適した画像データとディスプレイ表示に適した画像データの２種類の画像データを得ることが可能なディジタル複写機を提供できる。
【図面の簡単な説明】
【図１】本発明の実施の形態によるディジタル複写機の構成を示すブロック図である。
【図２】請求項１の発明に対応する第１の実施の形態によるディジタル複写機の具体的な構成を示すブロック図である。
【図３】請求項２〜５，６，７の発明に対応する第２、第３の実施の形態によるディジタル複写機の具体的な構成を示すブロック図である。
【符号の説明】
１０１　画像入力部
１０２　画像処理部
１０３　画像出力部
１０４　圧縮伸張部
１０５、２１３、３１３　画像蓄積部
１０６、２１４、３１４　外部機器Ｉ／Ｆ
１０７　制御部
１０８、２１９、３１９　操作部
１０９　外部機器
２０１、３０１　スキャナ部
２０５　階調処理Ａ
２０６　階調処理Ｂ
２０９、３０９　プリンタ部
２１０　圧縮伸張処理Ａ
２１１　圧縮伸張処理Ｂ
２１２　圧縮伸張処理Ｃ
３１０　ｍビット圧縮伸張処理
３１１　２値圧縮伸張処理
３１２　ｎ値圧縮伸張処理
２１６、３１６　ＣＰＵ
【図１】
2004112358.tif 000003
【図２】
2004112358.tif 000004
【図３】
2004112358.tif 000005